(57)【要約】【課題】交流電源の周期数に拘わることなく一定のサンプリング周期で入力信号を取り込んで電源周期数に起因するコモンモードノイズを除去し得る簡易な構成の信号処理装置を提供する。【解決手段】Ａ／Ｄ変換手段においては、演算処理手段に設定された一動作周期内において、第１の入力信号を電源周波数に応じて定められる回数に亘って繰り返しサンプリングすると共に、第２の入力信号を少なくとも１回サンプリングし得る一定の周期で前記第１および第２の入力信号をそれぞれデジタル変換し、平均化処理手段においては前記電源周波数に応じて定められる回数に亘って繰り返しサンプリングされた前記第１の入力信号のデジタル変換値の平均値を求める。【選択図】図１
2009246711.tif 000002
【特許請求の範囲】
【請求項１】
交流電源を駆動源として動作する信号処理装置であって、
第１および第２の入力信号をそれぞれデジタル変換して取り込むＡ／Ｄ変換手段と、
このＡ／Ｄ変換手段を介して取り込まれた前記第１の入力信号のデジタル変換値を平均化処理して該第１の入力信号に含まれる前記交流電源の周波数に起因したコモンモードノイズを除去する平均化処理手段と、
前記第１の入力信号のデジタル変換値の上記平均化処理手段にて求められた平均値と前記第２の入力信号のデジタル変換値とを用いて所定の演算処理を実行する演算処理手段とを備え、
前記Ａ／Ｄ変換手段は、前記演算処理手段に設定された一動作周期内において、前記第１の入力信号を前記交流電源の周波数に応じて定められる回数に亘って繰り返しサンプリングすると共に、前記第２の入力信号を少なくとも１回サンプリングし得る一定の周期で前記第１および第２の入力信号をそれぞれデジタル変換し、
前記平均化処理手段は、前記交流電源の周波数に応じて定められる回数に亘って繰り返しサンプリングされた前記第１の入力信号のデジタル変換値の平均値を求めることを特徴とする信号処理装置。
【請求項２】
前記Ａ／Ｄ変換手段は、［１０／（６ｎ）］ｍ秒（但し、ｎは自然数）の周期で前記第１および第２の入力信号を選択的にサンプリングするものであって、
前記平均化処理手段は、前記交流電源の周波数が［５０］Ｈzであるときには連続する［１２ｎ］サンプル回数に亘って前記第１の入力信号のデジタル変換値を平均化処理し、前記交流電源の周波数が［６０］Ｈzであるときには連続する［１０ｎ］サンプル回数に亘って前記第１の入力信号のデジタル変換値を平均化処理するものである請求項１に記載の信号処理装置。
【請求項３】
前記第１の入力信号は熱電対により求められた検出対象の温度を示す情報であり、前記第２の入力信号は冷接点補償用温度センサにより求められた校正用温度値であって、
前記演算処理手段は、前記第１の入力信号のデジタル変換値の平均値を、前記第２の入力信号のデジタル変換値を用いて補正して前記検出対象の温度を求めるものである請求項１に記載の信号処理装置。
【請求項４】
請求項３に記載の信号処理装置において、前記演算処理手段は、更に補正した検出対象の温度に従って外部の制御対象に対する制御信号を生成することを特徴とする信号処理装置。
【発明の詳細な説明】
【技術分野】
【０００１】
本発明は、交流電源を駆動源として動作し、Ａ／Ｄ変換器を介して取り込んだ入力信号に所定の演算処理を施すように構成された、例えば熱電対を用いた温度検出装置や温度制御装置のような信号処理装置に関する。
【背景技術】
【０００２】
熱電対を用いた温度検出装置や温度制御装置においては、温度検出対象に設けられた上記熱電対の冷接点補償を行うべく、冷接点補償用温度センサを用いて検出される温度値に応じて前記熱電対の出力（起電力）を補償して前記温度検出対象の温度を求めるように構成される。図３はこの種の温度検出装置の概略構成を示す図で、１は熱電対ＴＣが設けられる検出対象、２は温度検出装置を示している。この温度検出装置２は、例えばマイクロプロセッサ（ＣＰＵ）３を主体として構成され、前記熱電対ＴＣにて検出された温度情報および該温度検出装置２に組み込まれた冷接点補償用温度センサＣＪにより検出される温度値をＡ／Ｄ変換器４を介してそれぞれデジタル変換して前記マイクロプロセッサ（ＣＰＵ）３に取り込むように構成される。また温度制御装置は、上述した温度検出装置２にて検出された温度値に応じて図示しない制御対象（加熱器や冷熱器等）を制御して前記検出対象１の温度を制御するように構成される［例えば特許文献１を参照］。
【０００３】
ところでこの種の温度検出装置や温度制御装置であって、商用交流電源を駆動源として動作する装置においては、Ａ／Ｄ変換器４を介して取り込まれる入力信号に上記商用交流電源の周波数に起因するコモンモードノイズが重畳することが否めない。このコモンモードノイズは、特に前述した熱電対ＴＣを用いて検出される温度情報の検出精度を大幅に劣化させる要因となる。そこで従来においては商用交流電源の周波数を検出し、検出した周波数に同期させてＡ／Ｄ変換器を動作させて入力信号を取り込む（サンプリングする）ようにしている［例えば特許文献２を参照］。そして商用交流電源の周波数に同期させて取り込んだ入力信号の、複数サンプルに亘るデジタル変換値を平均化することで上記コモンモードノイズを除去している。
【特許文献１】特開平５−５３６５７号公報
【特許文献２】特開２００２−２８６５５６号公報
【発明の開示】
【発明が解決しようとする課題】
【０００４】
しかしながら商用交流電源の周波数に応じてＡ／Ｄ変換器の動作周期（サンプリング周期）を変更するには、動作モードを切り換え可能なＡ／Ｄ変換器を用いることが必要であり、装置構成の複雑化を招来する要因となる。しかもＡ／Ｄ変換器の動作周期（サンプリング周期）を変更した場合には、これに伴ってＡ／Ｄ変換器内部のフィルタ定数やアルゴリズム等が変化する。この為、Ａ／Ｄ変換器を介して入力信号を取り込んで所定の信号処理を実行するに際しての応答特性が変化すると言う不具合が生じる。
【０００５】
また前述したように２系統の入力信号をそれぞれ取り込んで所定の信号処理を実行するような場合、これらの２系統の入力信号にそれぞれ含まれるコモンモードノイズを除去するには、上記２系統の入力信号をそれぞれ複数サンプルに亘って取り込むことが必要である。従って１台のＡ／Ｄ変換器の入力を切り換えながら、コモンモードノイズを除去した２系統の入力信号（平均値）を得るには相当長い時間を必要とし、温度検出装置２における信号処理周期が長くなることが否めない。逆に温度検出装置２での信号処理の周期が規定されるような場合には、この動作周期の期間内に前述した２系統の入力信号をそれぞれ複数サンプルに亘って取り込む必要が生じるので、Ａ／Ｄ変換器４におけるサンプリング周期を相当短く設定することが必要となる。
【０００６】
本発明はこのような事情を考慮してなされたもので、その目的は、駆動源として用いられる交流電源の周波数に拘わることなく一定のサンプリング周期で入力信号をデジタル変換して取り込みながら、上記交流電源の周波数に起因するコモンモードノイズの影響を低減して所定の信号処理を簡易に実行することのできる信号処理装置を提供することにある。
【課題を解決するための手段】
【０００７】
上述した目的を達成するべく本発明に係る信号処理装置は、交流電源を駆動源として動作するものであって、
第１および第２の入力信号をそれぞれデジタル変換して取り込むＡ／Ｄ変換手段と、
このＡ／Ｄ変換手段を介して取り込まれた前記第１の入力信号のデジタル変換値を平均化処理して該第１の入力信号に含まれる前記交流電源の周波数に起因したコモンモードノイズを除去する平均化処理手段と、
前記第１の入力信号のデジタル変換値の上記平均化処理手段にて求められた平均値と前記第２の入力信号のデジタル変換値とを用いて所定の演算処理を実行する演算処理手段とを備え、
特に前記Ａ／Ｄ変換手段においては、前記演算処理手段に設定された一動作周期内において、前記第１の入力信号を前記交流電源の周波数に応じて定められる回数に亘って繰り返しサンプリングすると共に、前記第２の入力信号を少なくとも１回サンプリングし得る一定の周期で前記第１および第２の入力信号をそれぞれデジタル変換し、
前記平均化処理手段においては、前記交流電源の周波数に応じて定められる回数に亘って繰り返しサンプリングされた前記第１の入力信号のデジタル変換値の平均値を求めるように構成したことを特徴としている。
【０００８】
好ましくは前記Ａ／Ｄ変換手段を［１０／（６ｎ）］ｍ秒（但し、ｎは自然数）の周期で前記第１および第２の入力信号を選択的にサンプリングするように構成し、また前記平均化処理手段については、前記交流電源の周波数が［５０］Ｈzであるときには連続する［１２ｎ］サンプル回数に亘って前記第１の入力信号のデジタル変換値を平均化処理し、前記交流電源の周波数が［６０］Ｈzであるときには連続する［１０ｎ］サンプル回数に亘って前記第１の入力信号のデジタル変換値を平均化処理するように構成することが望ましい。
【０００９】
本発明の好ましい実施形態は、例えば前記第１の入力信号は熱電対により求められた検出対象の温度を示す情報であり、前記第２の入力信号は冷接点補償用温度センサにより求められた校正用温度値であって、前記演算処理手段は、前記第１の入力信号のデジタル変換値の平均値を、前記第２の入力信号のデジタル変換値を用いて補正して前記検出対象の温度を求めるように構成される。更には前記演算処理手段においては、上述した如く補正した検出対象の温度に従って外部の制御対象に対する制御信号を生成するように構成することが望ましい。
【発明の効果】
【００１０】
上記構成の信号処理装置によればＡ／Ｄ変換手段を一定のサンプリング周期で駆動し、演算処理手段に設定された一動作周期内において、第１の入力信号を交流電源の周波数に応じて定められる回数に亘って繰り返しサンプリングすると共に、第２の入力信号を少なくとも１回サンプリングし、上記交流電源の周波数に応じて定められる回数に亘って繰り返しサンプリングされた第１の入力信号のデジタル変換値の平均値を求めるだけなので、Ａ／Ｄ変換手段の構成の複雑化を招くことなく、またその応答特性の変化を招来することなしに前記演算処理手段に設定された一動作周期内において第１および第２の入力信号を確実に取り込むことができる。
【００１１】
しかもＡ／Ｄ変換手段を［１０／（６ｎ）］ｍ秒（但し、ｎは自然数）のサンプリング周期で駆動し、前記平均化処理手段においては交流電源の周波数が［５０］Ｈzであるときには連続する［１２ｎ］サンプル回数に亘って第１の入力信号のデジタル変換値を平均化処理し、また交流電源の周波数が［６０］Ｈzであるときには連続する［１０ｎ］サンプル回数に亘って第１の入力信号のデジタル変換値を平均化処理するので、交流電源の周波数が［５０］Ｈzであるか［６０］Ｈzであるかに拘わりなく、該交流電源の周波数に起因するコモンモードノイズを確実に除去（低減）することができる。
【００１２】
特に本発明によれば、前記第１の入力信号が熱電対により求められた検出対象の温度を示す情報であって、前記第２の入力信号が冷接点補償用温度センサにより求められた校正用温度値であるような場合、計測対象である第１の入力信号を、連続する複数サンプルに亘って検出し、これを平均化処理することで該第１の入力信号に含まれるコモンモードノイズの除去するのでその信号値を精度良く検出することができ、また一般的に安定で上記第１の入力信号に対する補償基準となる第２の入力信号を、上記第１の入力信号の入力期間の合間をみて少なくとも１サンプル入力するだけなので、第１および第２の入力信号をそれぞれ取り込む上での周期がさほど長くなることがない。従って演算処理手段に設定された一動作周期内において、Ａ／Ｄ変換手段のサンプリング周期を過度に短く設定しなくても、第１および第２の入力信号をそれぞれ安定に取り込むことが可能となる。
【発明を実施するための最良の形態】
【００１３】
以下、本発明の一実施形態に係る信号処理装置について、熱電対を用いた温度検出装置を例に説明する。尚、上記温度検出装置が有する機能に、更に検出した温度値に基づいて外部の、例えば加熱器や冷熱器等の制御対象機器の動作を制御する温度制御装置についても本発明を同様に適用することができる。
図１は本発明の一実施形態に係る温度検出装置の概略構成図であって、１は温度検出対象部位に設けられる温度センサとしての熱電対である。温度検出装置１０は、第１の前置増幅器（入力バッファ）１１を介して上記熱電対１にて検出される温度情報（第１の入力信号）を入力すると共に、第２の前置増幅器（入力バッファ）１２を介して該温度検出装置１０に組み込まれた冷接点補償用温度センサ１３にて求められる温度情報（第２の入力信号）を入力する。そしてこれらの第１および第２の入力信号は、Ａ／Ｄ変換器１４を介して所定の周期でサンプリングされ、デジタル変換されて該装置の本体部を構成するマイクロプロセッサ（ＣＰＵ）１５に取り込まれるように構成されている。尚、上記Ａ／Ｄ変換器１４は、前記マイクロプロセッサ（ＣＰＵ）１５が内蔵するＡ／Ｄ変換機能であっても良い。
【００１４】
そして前記マイクロプロセッサ（ＣＰＵ）１５は、基本的には前記熱電対１を用いて検出された温度情報（第１の入力信号）を前記冷接点補償用温度センサ１３にて求められる温度情報（第２の入力信号）を用いて冷接点補償することで、前記熱電対１が設けられた温度検出対象部位の温度を高精度に検出するものとなっている。このようにして検出された温度は該温度検出装置１０に組み込まれた表示器１６にて表示され、或いは検出温度情報として外部機器等に出力される。
【００１５】
基本的に上述した如く構成される温度検出装置は、例えば商用交流電源（ＡＣ）を直接的または間接的に駆動源として用いて動作するものであって、電源部１７は交流電源を整流・平滑化して前述したＡ／Ｄ変換器１４やマイクロプロセッサ（ＣＰＵ）１５等をそれぞれ駆動する所定の直流電源電圧Ｖccを生成している。またこの電源部１７に付随して前記交流電源の周波数を前記マイクロプロセッサ（ＣＰＵ）１５に設定する周波数判定部１８が設けられている。
【００１６】
さて本発明に係る温度検出装置（信号処理装置）が特徴とするところは、前記Ａ／Ｄ変換器１４を一定のサンプリング周期Ｔsで駆動し、前記マイクロプロセッサ（ＣＰＵ）１５の１動作周期Ｔの期間内において前述した熱電対１から入力される温度情報（第１の入力信号）を、後述するように前記商用交流電源の周波数に応じて定められる回数に亘って繰り返しサンプリングしてそのデジタル変換値を順次求めると共に、前記マイクロプロセッサ（ＣＰＵ）１５の１動作周期Ｔの残された時間内において、前記冷接点補償用温度センサ１３にて求められる温度情報（第２の入力信号）を少なくとも１回サンプリングしてそのデジタル変換値を求めるようにした点にある。このＡ／Ｄ変換器１４を介する上記第１の入力信号および第２の入力信号の選択的なサンプリングは、前記マイクロプロセッサ（ＣＰＵ）１５における入力制御部１５ａの制御の下で切り換えられる。
【００１７】
そして前記マイクロプロセッサ（ＣＰＵ）１５においては、平均化処理部１５ｂにおいて前記商用交流電源の周波数に応じて定められる回数に亘って繰り返しサンプリングされた前記第１の入力信号のデジタル変換値の平均値を求めることで、前記第１の入力信号に重畳している前記商用交流電源の周波数に起因するコモンモードノイズを除去（軽減）するものとなっている。その上で前記マイクロプロセッサ（ＣＰＵ）１５は、その演算部１５ｃを駆動し、前述した平均化処理によってコモンモードノイズを除去した前記熱電対１の出力が示す温度情報（第１の入力信号）を、前記冷接点補償用温度センサ１３の出力が示す温度値（第２の入力信号）を用いて冷接点補償し、これによって前記熱電対１が設けられた温度検出対象部位の温度を高精度に求めるものとなっている。
【００１８】
ここで前記Ａ／Ｄ変換器１４のサンプリング周期Ｔs、前記マイクロプロセッサ（ＣＰＵ）１５における動作周期Ｔ、および平均化処理に供するサンプリング回数について説明する。この温度検出装置（信号処理装置）を駆動する商用交流電源の周波数は［５０］Ｈzまたは［６０］Ｈzであって、入力信号に重畳するコモンモードノイズは上記商用交流電源の周波数に依存する周期で略一定の変化を呈する。従ってコモンモードノイズが重畳した入力信号を、例えば前記商用交流電源の１波長分に亘って一定の周期Ｔsで繰り返しサンプリングし、これらのサンプリング値の平均値を求めれば、基本的には商用交流電源の周波数に同期した１波長分に亘るコモンモードノイズの変化を相殺し、これによって上記入力信号からコモンモードノイズを除去することができる。
【００１９】
故に入力信号から商用交流電源の周波数に依存するコモンモードノイズを除去して高精度な温度検出を行うには、前記マイクロプロセッサ（ＣＰＵ）１５における１動作周期Ｔは、電源周波数が［５０］Ｈzの場合には［１／５０］秒以上であれば良く、また電源周波数が［６０］Ｈzの場合には［１／６０］秒以上であれば良い。換言すれば前記マイクロプロセッサ（ＣＰＵ）１５の１動作周期Ｔを［１００］ｍ秒以上に設定すれば、基本的には上記１動作周期Ｔ内において１波長分のコモンモードノイズを対称性良く検出することができるので、電源周波数に拘わりなくコモンモードノイズの影響を除去した高精度な温度検出を行い得る。
【００２０】
一方、電源周波数に拘わりなく入力信号を一定の周期Ｔsで繰り返しサンプリングし、１波長分に亘るコモンモードノイズを含む入力信号を検出してその平均値を求めるには、基本的には電源周波数［５０］Ｈzおよび［６０］Ｈzの最小公倍数によって規定される［１／３００］秒の［１／ｎ］の周期Ｔsで入力信号をサンプリングすれば良い。具体的にはＡ／Ｄ変換器４のサンプリング周期Ｔsを［１０／（３ｎ）］ｍ秒として設定すれば良い。但し、上記ｎは自然数である。
【００２１】
しかしこの場合には、１波長分のコモンモードノイズを含む入力信号のサンプリング回数が奇数となり、サンプリングタイミングにずれがある場合には１波長分のコモンモードノイズを対称性良く検出することができなくなる虞がある。従って実際的にはＡ／Ｄ変換器４のサンプリング周期Ｔsを［１０／（６ｎ）］ｍ秒として設定し、１波長分のコモンモードノイズを必ず正負対称にサンプリングし得るように設定することが好ましい。
【００２２】
このような観点に立脚して本装置においては、前記Ａ／Ｄ変換器４を［１０／（６ｎ）］ｍ秒なる一定のサンプリング周期Ｔsで駆動するようにしている。そして商用交流電源の周波数が［５０］Ｈzであるときには連続する［１２ｎ］回に亘って第１の入力信号をサンプリングし、そのデジタル変換値を求めている。また商用交流電源の周波数が［６０］Ｈzであるときには連続する［１０ｎ］回に亘って第１の入力信号をサンプリングし、そのデジタル変換値を求めている。この第１の入力信号の連続したサンプル回数は、前述した周波数判定部１８にて設定された電源周波数に基づく前記入力制御部１５ａの制御の下で実行される。
【００２３】
そして前述した平均化処理部１５ｂにおいては、上述した如く検出された商用交流電源の周波数に応じて、具体的には電源周波数が［５０］Ｈzであるときには前記第１の入力信号の連続する［１２ｎ］サンプル、また電源周波数が［６０］Ｈzであるときには前記第１の入力信号の［１０ｎ］サンプルのデジタル変換値を平均化処理し、その平均化デジタル値としてコモンモードノイズを除去した入力値（温度検出値）を求めている。
【００２４】
一方、前記入力制御部１５ａは、上述した如く第１の入力信号を［１２ｎ］サンプルまたは［１０ｎ］サンプルに亘ってサンプリングするべく前記Ａ／Ｄ変換器１４を制御した後には、前述したマイクロプロセッサ（ＣＰＵ）１５の１動作周期Ｔにおける残された時間を利用して前記第２の入力信号を少なくとも１回以上サンプルするべく、その入力系を切り換えている。そしてサンプル入力した第２の入力信号のデジタル変換値を前記演算部１５ｃに与え、所定の演算処理に供している。
【００２５】
ちなみに前記第１の入力信号は、前述したように熱電対１によって検出される温度検出対象部位の温度情報であり、また前記第２の入力信号は上記熱電対１の冷接点補償を行う為の温度値である。そして第１の入力信号（熱電対１の出力）は、外乱の影響を受けることなく正確に検出すべきものであり、これに対して第２の入力信号（冷接点補償用温度センサ１３の出力）は比較的安定で、略一定であると看做しうる温度値である。このようなことからこの温度検出装置（信号処理装置）においては、第１の入力信号（熱電対１の出力）を前述した如く［１２ｎ］サンプルまたは［１０ｎ］サンプルに亘ってサンプル入力し、その平均値を求めることでコモンモードノイズの影響を除去した後、上述した比較的安定で一定であると看做し得る第２の入力信号（冷接点補償用温度センサ１３の出力）を用いて、その冷接点補償を行うものとなっている。
【００２６】
かくして上述した如く構成された温度検出装置（信号処理装置）によれば、その駆動源である商用交流電源の周波数に拘わりなく、前記マイクロプロセッサ（ＣＰＵ）１５の１動作周期Ｔ内において第１の入力信号（熱電対１の出力）に含まれるコモンモードノイズを除去した後、これを第２の入力信号（冷接点補償用温度センサ１３の出力）を用いて冷接点補償するので、熱電対１が設けられた温度検出対象部位の温度を高精度に検出することができる。
【００２７】
即ち、図２にその概念を示すように、本発明に係る温度検出装置（信号処理装置）においては、図２(ａ)に示すような第１の入力信号に含まれる電源周波数に応じたコモンモードノイズを、図２(ｂ)に示すように［１０／（６ｎ）］ｍ秒として設定されたサンプリング周期Ｔsで入力する。そして電源周波数が［５０］Ｈzであるときには図２(ｃ)に示すように第１の入力信号を［１２ｎ］サンプルに亘って入力してその平均値を求め、また電源周波数が［６０］Ｈzであるときには図２(ｄ)に示すように第１の入力信号を［１０ｎ］サンプル亘って入力してその平均値を求めるものとなっている。従って電源周波数に拘わることなく該電源周波数に依存するコモンモードノイズを１波長（ｎ波長）分に亘って正確に正負対称に検出し、平均化処理によってコモンモードノイズを除去することができる。その上で、図２(ｄ)に示すマイクロプロセッサ（ＣＰＵ）１５の１動作周期Ｔ内の残された時間を利用して第２の入力信号をサンプリングすることができるので、これらの第１および第２の入力信号をそれぞれ安定に、しかも確実に取り込むことが可能となる。
【００２８】
従って本発明に係る温度検出装置（信号処理装置）によれば、電源周波数に応じてＡ／Ｄ変換器１４のサンプリング周波数Ｔsを変更することがないので、その構成の簡素化を図ることができ、サンプリング周波数Ｔsを変更可能な特殊なＡ／Ｄ変換器を準備する必要もない。またサンプリング周波数Ｔsの変更に伴うＡ／Ｄ変換器の応答特性の変化もないので、予め設定された仕様の下で第１および第２の入力信号をそれぞれ安定にデジタル変換して取り込み、所定の信号処理に供することができる。特にマイクロプロセッサ（ＣＰＵ）１５の１動作周期Ｔが２５ｍ秒と短く設定された場合であっても、前述した条件において第１の入力信号を２０ｍ秒で取り込むことが可能となるので、簡易にして効果的に温度検出装置（信号処理装置）の高速処理動作に対応させることができる等の実用上多大なる効果が奏せられる。
【００２９】
尚、本発明は上述した実施形態に限定されるものではない。ここでは熱電対を用いた温度検出装置や温度制御装置に適用する場合を例に説明したが、商用交流電源にて駆動されるその他の信号処理装置にも同様に適用することができる。また周波数判定部１８による電源周波数の設定は、自動検出であってもマニュアル操作であっても良い。更にはここでは商用交流電源を直接的に駆動源として用いる装置について説明したが、商用交流電源を一旦直流変換した後、その直流変換した電力を駆動源として用いるような、商用電源を間接的に用いる装置や、インバータを介して商用電源を昇圧して用いるような装置についても同様に適用することができる。
【００３０】
また商用交流電源以外の交流電源を駆動源とする場合や、直流電源を交流変換し、その交流電源を駆動源として用いる場合にも同様に実施することができる。特にインバータにおける高周波スイッチングに伴うスパイクノイズがコモンモードノイズとして影響するような場合であっても、同様な手法にてその影響を除去することができる。要は本発明は、前述した如くして交流電源の周波数に起因するコモンモードノイズの影響を除去するものであり、その要旨を逸脱しない範囲で種々変形して実施することができる。
【図面の簡単な説明】
【００３１】
【図１】本発明の一実施形態に係る信号処理装置である温度検出装置の概略構成を示す図。
【図２】本発明に係る温度検出装置における第１および第２の入力信号に対するサンプルタイミングとコモンモードノイズとの関係を示す図。
【図３】温度検出装置の一般的に構成例を示す図。
【符号の説明】
【００３２】
１  熱電対
１３  冷接点補償用温度センサ
１４  Ａ／Ｄ変換器
１５  マイクロプロセッサ（ＣＰＵ）
１５ａ  入力制御部
１５ｂ  平均化処理部
１５ｃ  演算部
１７  電源部
１８  周波数検出部
【図１】
2009246711.tif 000003
【図２】
2009246711.tif 000004
【図３】
2009246711.tif 000005